(57)【要約】      （修正有）【課題】指の瞬間挟持力の弱い人がプラグを楽々とコンセントから引き抜く事ができ、且つ、、引き抜いた後のコンセント差込み銅板は刃状形態であり、これが、床などに転がっていて、足、手等との接触により切傷を負わせてしまう危険を無くする。【解決手段】プラグ本体に空間部９を設け、この空間部に接する本体側の一端にプラグ本体引き抜指掛け１２を設けたものである。且つ、回転部６に回転部回転指掛け１０の凹み１０を設けてあり、この凹みを回転軸７を中心として指で前駆、後駆させ、回転部６共々、差込み銅板２を１８０度回転させ、差込み銅板納入溝１１に挿入し、差込み銅板２をプラグ内部に納める構造とする。回転部６内部にこの回転軸７に合致する穴が設けられている。【選択図】図１
2010123558.tif 000002
【特許請求の範囲】
【請求項１】
本発明プラグはプラグ本体に９空間部を設け、この空間部に接するプラグ本体側の一端に設けた１２プラグ本体引き抜指掛けを軽く指で摘んで挟持し、手前に引く事により、いとも簡単にコンセントからプラグが外れるのである。つまり、指の瞬間挟持力がほどんといらないプラグなのであり、指の挟持力の弱い人にでも扱いプラグであり、且つ、引き抜いた後のコンセント２差込み銅板は刃状形態であり、これが、床などに転がっていて、これに足、手等の接触により切傷を負わせてしまう危険があったが、これの対策として図１の６回転部に１０回転部回転指掛けの凹みを設けてあり、この凹みを７回転軸を中心として指で前駆、後駆させ６回転部共々、２の差込み銅板を１８０度回転させ、、２の差込み銅板をプラグ内部に納める構造なので足、手等の接触より切傷を負わせる事がなくなったのであ。又、空間部の広さは本発明の図１、図２にこだわらなく、簡単にコンセントからプラグが外れる形状でよい。抜指掛けの形態も任意で良い。要するに本発明の目的を達する形状であれば良い。
【発明の詳細な説明】
【技術分野】
【０００１】  本発明は、プラグ本体に空間部を設け、プラグ引き抜きを楽にする装置であり、且つ、差込み銅板の刃形に皮膚が接触、切傷するのを防止するプラグである。
【背景技術】
【０００２】  従来のプラグは、コンセントから引き抜く時に指の瞬間挟持力が強くなければ抜けにくく、握力の弱い人や指に障害のある人には甚だ不便であり、市販されているプラグ本体にはこれらの不便を少しでも緩和すべく、プラグ本体に凹凸形状等を設けて摩擦力を付加し、コンセントから引き抜く時に必要な指の瞬間挟持力を少しでも増加させ、引き抜き易くなる造りとしているが、実際には握力等の弱い人には効果が無かった。且つ、引き抜いた後のコンセントの２差込み銅板は刃状形態であり、床などに転がっていて、足、手等との接触により切傷を負わせてしまう危険があった。
【発明の表示】
【発明が解決しようとする課題】
【０００３】  本発明は、このような従来の構成が有していた問題を解決しようとするものであり、指の瞬間挟持力の弱い人がプラグを楽々とコンセントから引き抜く事を目的とするものであり、且つ、引き抜いた後のコンセント２差込み銅板は刃状形態であり、これが、床などに転がっていて、足、手等との接触により切傷を負わせてしまう危険を無くする事を目的とした構造である。
【課題を解決するための手段】
【０００４】本発明は上記目的を達成するために、図１プラグ本体に９空間部を設け、この空間部に接する本体側の一端に１２プラグ本体引き抜指掛けを設けたものである。この１２プラグ本体引き抜指掛けを摘む様に指で挟持し、軽く手前に引く事により、いとも簡単にコンセントからプラグが外れるのである。つまり、指の瞬間挟持力がほどんといらないプラグなのであり、且つ、引き抜いた後のコンセントの２差込み銅板は刃状形態であり、これが、、床などに転がっていて、足、手等との接触により切傷を負わせてしまう危険があった。これの対策として図１の６回転部に１０回転部回転指掛けの凹みを設けてあり、この１０凹みを７回転軸を中心として指で前駆、後駆させ、６回転部共々、２の差込み銅板を１８０度回転させ、１１の差込み銅板納入溝に挿入し、２の差込み銅板をプラグ内部に納める構造とする。６回転部内部にこの７回転軸に合致する穴が設けられている。図２では、１１差込み銅板納入溝が無い。
【発明の効果】
【０００５】  上述したように、本発明プラグはプラグ本体に９空間部を設け、この空間部に接するプラグ本体側の一端に設けた１２プラグ本体引き抜指掛けを軽く指で摘んで挟持し、手前に引く事により、いとも簡単にコンセントからプラグが外れるのである。つまり、指の瞬間挟持力がほどんといらないプラグなのであり、且つ、引き抜いた後のコンセント２差込み銅板は刃状形態であり、これが、床などに転がっていて、これに足、手等の接触により切傷を負わせてしまう危険があったが、これの対策として図１の６回転部に１０回転部回転指掛けの凹みを設けてあり、この凹みを７回転軸を中心として指で前駆、後駆させ６回転部共々、２の差込み銅板を１８０度回転させ、１１の差込み銅板納入溝に挿入し、２の差込み銅板をプラグ内部に納める構造なので足、手等の接触より切傷を負わせる事がなくなったのであ。図２では、１１差込み銅板納入溝が無い。
【発明を実施する為の最良の形態】
【０００６】  以下、本発明の実施の形態を図１〜図３に基づいて説明する。
【０００７】  本発明の図１において、１は中心線であり、本発明プラグ本体を左右対称に振り分けている。１中心線より左側５プラグ下蓋の内部示している。４プラグ上蓋、５プラグ下蓋、これらをプラグ本体という。２の差込み銅板の組み込まれている部分が６回転部である。３はプラグ内銅板であり、２の差込み銅板に接している。本発明の１２プラグ引き抜指掛けの形状として、例として湾曲型凹み、山湾曲型、水平型等のいずれかの型の組み合わせ、砂状模様等を刻むなどとして、指の挟持力を増加させ、プラグ引き抜力を最大確保する型とする。図１は湾曲凹型を表している。又、４プラグ上蓋から５プラグ下蓋までの型状は、湾曲型凹み、山湾曲型等、いずれの組合わせでも良く、指の挟持力を最大確保する型とする。
【０００８】且つ、又、引き抜いた後のコンセント２差込み銅板は刃状形態であり、これが、床などに転がっていて、これに足、手等の接触により切傷を負わせてしまう危険があったが、これの対策として図１の６回転部に１０回転部回転指掛け凹みを設けてあり、この凹みを７回転軸を中心として指で前駆、後駆させ６回転部共々、２の差込み銅板を１８０度回転させ、１１の差込み銅板納入溝に挿入し、２の差込み銅板をプラグ内部に納める構造なので足、手等の接触が無くなり、切り傷を負わせる事がなくなったのである。図２では、１１差込み銅板納入溝が無い。
【０００９】  ６回転部の１０回転部回転指掛けの形状は上記１２プラグ引き抜指掛けの形状例と同じか、プラグ本体真横から観た場合に水平の角を削いだ半円、楕円としても良い、この部分も砂状模様等を刻むかなどして指の滑り止めとする場合もある。
【００１０】  ７回転軸は８回転軸保持装置と、６回転部側面に設けた軸受け穴で安定回転する。又、経年使用によるがたつきを防止する。
【００１１】  １３絶縁壁は９空間部の１２プラグ本体引き抜指掛け部分から１１差込み銅板納入溝に沿ってプラグ本体回転部下端までとする。１６プラグ上下蓋固定ネジ下端に形成されている１３絶縁壁は、１５電線固定ネジ左右を絶縁ものである。絶縁作用としては同じである。
【００１２】  ３内銅板の形態は棒状、板状、編みより状、いずれでも良く、１５電線固定ネジにつながる。
【００１３】  ４プラグ上蓋と５プラグ下蓋を確実に嵌合させる為に図１、図３に示す２２下蓋端部が嵌合装置逆Ｌ字型、２３上蓋嵌合装置Ｌ型を設けている嵌合部の１例であり、４プラグ上蓋を５プラグ下蓋に強く押しつけるときつめに嵌合する。雄ネジ、雌ネジによる嵌合装置でも良い、設置個数は自由。
【００１４】  ２０下蓋嵌合装置、２１上蓋嵌合装置を設けている、この２０下蓋嵌合装置は円柱を横にした型であり、２１上蓋嵌合装置は２０下蓋嵌合装置の円柱直径より若干おおき目の筒状径として先端から後端までが左右に欠けており、４プラグ上蓋を５プラグ下蓋に強く押しつけるときつめに嵌合する程度の筒状左右に欠けている。雄ネジ、雌ネジによる嵌合装置でも良い。設置個数は自由。
【００１５】  プラグの材質はプラスッチク、ウレタン樹脂等である。図１はプラグ内部の隙間にウレタン樹脂等をプラグ本体補強として充填しているが、この充填の有無、多寡、範囲は任意とする。
【００１６】  図２は１０回転部回転指掛けを７回転軸を中心として指で前駆、後駆させ６回転部共々、２の差込み銅板を１８０度回転させ、２の差込み銅板をプラグ内部に納めた図である。
【００１７】  図２のプラグ本体はウレタン樹脂等で１体成型されており、プラグ内部もウレタン樹脂等が充填されている。又、１６プラグ上下蓋固定ネジを無くしたので１９拡大空間部は図１の９空間部より格段に大きいので、指１本でプラグを楽々とコンセントから外せるのである。
【００１８】  図２のプラグ本体には１８リード線がプラグ本体と１体成型されており、図１の１５電線固定ネジは不要、２０下蓋嵌合装置、２１上蓋嵌合装置、２２下蓋端部嵌合装置、２３上蓋嵌合装置も不要。
３プラグ内銅板部分、７回転軸、８回転軸保持装置等の図は図２では略している。
【００１９】  図１の、この２１上蓋嵌合装置、が４プラグ上蓋と５プラグ下蓋の中間を通っている場合いは２０下蓋嵌合装置、２１上蓋嵌合装置の双方を欠いて３プラグ内銅板の通路を確保する。
【００２０】  空間部は図１、図２の大きさにこだわらない。指掛けの形状も図示以外の型で本発明プラグの目的を果たせば良い。
【図１】
2010123558.tif 000003
【図２】
2010123558.tif 000004
【図３】
2010123558.tif 000005
【手続補正書】
【提出日】平成21年1月30日(2009.1.30)
【手続補正２】
【補正対象書類名】明細書
【補正対象項目名】全文
【補正方法】変更
【補正の内容】
【発明の詳細な説明】
【技術分野】
【０００１】  本発明は、プラグ本体に空間部９、拡大空間部１９を設け、プラグ本体引き抜き指掛１２を引いてプラグをコンセントから楽に取り外す装置に関する。
【背景技術】
【０００２】  従来のプラグは、コンセントから引き抜く時に指の瞬間挟持力が強くなければ抜けにくく、握力の弱い人や指に障害のある人には甚だ不便であり、市販されているプラグ本体にはこれらの不便を少しでも緩和すべく、プラグ本体に凹凸形状等を設けて摩擦力を付加し、コンセントから引き抜く時に必要な指の瞬間挟持力を少しでも増加させ、引き抜き易くなる造りとしているが、実際には握力等の弱い人には効果が無かった。且つ、引き抜いた後のコンセントの差込み銅板２は刃状形態であり、床などに転がっていて、足、手等との接触により切傷を負わせる危険がある。
【発明の開示】
【発明が解決しようとする課題】
【０００３】  本発明は、このような従来の構成が有していた問題を解決しようとするものであり、指の瞬間挟持力の弱い人がプラグを楽々とコンセントから引き抜く事を目的とするものであり、且つ、引き抜いた後のコンセント差込み銅板２は刃状形態であり、これが、床などに転がっていて、足、手等との接触により切傷を負わせてしまう危険を無くする事を目的としたものである。
【課題を解決するための手段】
【０００４】  本発明は上記目的を達成するために、図１、図２のプラグ本体に空間部９、拡大空間部１９を設け、このらの空間部に接する本体側の一端にプラグ本体引き抜指掛１２を設けたものである。
【発明の効果】
【０００５】  従来のプラグは、コンセントから引き抜く時に指の瞬間挟持力が強くなければ抜けにくく、握力の弱い人や指に障害のある人には甚だ不便であり、市販されているプラグ本体にはこれらの不便を少しでも緩和すべく、プラグ本体に凹凸形状等を設けて摩擦力を付加し、コンセントから引き抜く時に必要な指の瞬間挟持力を少しでも増加させ、引き抜き易くなる造りとしているが、実際には握力等の弱い人には効果が無かった。且つ、引き抜いた後のコンセントの差込み銅板２は刃状形態であり、床などに転がっていて、足、手等との接触により切傷を負わせる危険がある。本発明プラグはプラグ本体に空間部９、拡大空間部１９を設け、これらの空間部に接するプラグ本体側の一端に設けたプラグ本体引き抜指掛１２を軽く指で摘んで挟持し、手前に引く事により、いとも簡単にコンセントからプラグが外れ、指の瞬間挟持力がほどんといらないプラグなのであり、且つ、引き抜いた後のコンセント差込み銅板２は刃状形態であり、これが、床などに転がっていて、これに足、手等の接触により切傷を負わせる危険があり、これの対策として図１、図２の回転部６に回転部回転指掛け１０に回転部６を円滑に回転させる為、凹みを設けてあり、この凹み部分を指で挟持し前駆、後駆を回転軸７を中心として回転部６共々、差込み銅板２を１８０度回転させ、差込み銅板納入溝１１に挿入し、差込み銅板２をプラグ内部に納める構造なので足、手等の接触より切傷を負わせる事がなくなった。【０００６】  図２では、差込み銅板納入溝１１が無く図１のプラグ本体引き抜指掛１２がプラグ本体の下部に設置されているが、この空間部１９は図１空間部９より広いので指１本鈎状にしてこの空間部１９に引っ掛け、手前に引くとより簡単に外れる。
【発明を実施する為の最良の形態】
【０００７】  以下、本発明の実施の形態を図１〜図３に基づいて説明する。
【０００８】  図１において、プラグ中心線１で本発明プラグ５本体を左右対称に振り分けている。中心線より左側はプラグ下蓋５の内部構造示している。プラグ上蓋４、プラグ下蓋５、これらをプラグ本体という。差込み銅板２の組み込まれている部分が回転部６である。プラグ内銅板３は差込み銅板２に接している。本発明のプラグの図１、図２の本体引き抜指掛１２の形状として、例として湾曲型凹み、山湾曲型、水平型等のいずれかの型の組み合わせ、砂状模様等を刻む等、摩擦力ある薄板を貼付などとして、指の挟持力を増加させ、プラグ引き抜力を最大確保する型とする。
【０００９】  且つ、又、引き抜いた後のプラグ差込み銅板２は刃状形態であり、これが、床などに転がっていて、これに足、手等の接触により切傷を負わせてしまう危険があり、これの対策として図１、図２の回転部６を円滑に回転させる為、凹みを設けてあり、この凹み部分を指で挟持し前駆、後駆を回転軸７を中心として回転部６共々、差込み銅板２を１８０度回転させ、差込み銅板納入溝１１に挿入し、差込み銅板２をプラグ内部に納める構造なので足、手等の接触より切傷を負わせる事がなくなった。ただし図２のプラグ本体上蓋４、下蓋５には差し込み銅販納入溝１１はないが空間部１９が図１の空間部９より面積は広いので指１本鈎状にして引っ掛け手前に引くとより簡単に外れる。
【００１０】  図１、図２の回転部６、回転部回転指掛け１０の形状は上記プラグ本体引き抜指掛１２の形状例と同じか、プラグ本体真横から観た場合に水平の角を削いだ半円、楕円としても良い、この部分も砂状模様等を刻むか摩擦力ある薄板を貼付などして、指の挟持力を増加させ、プラグ引き抜力を最大確保する型とする。
【００１１】  回転軸７は回転部６側にも設ける。
【００１２】  絶縁壁１３は空間部９のプラグ本体引き抜指掛け１２部分から差込み銅板納入溝１１に沿ってプラグ本体回転部下端までとする。プラグ本体上下蓋固定ネジ１６下端に形成されている絶縁壁１３は、電線固定ネジ１５左右を絶縁ものである。絶縁作用としては同じである。
【００１３】  プラグ内銅板３の形態は棒状、板状、編みより状、いずれでも良く、電線固定ネジ１５につながる。
【００１４】  プラグ上蓋４とプラグ下蓋５を確実に嵌合させる為に図１、図３に示すプラグ下蓋５の端部に近い場所に嵌合装置逆Ｌ字型２２、これに嵌合する上蓋嵌合装置Ｌ型２３を設けている嵌合方法の１例であり、プラグ上蓋４をプラグ下蓋５に強く押しつけるときつめに嵌合する。雄ネジ、雌ネジによる嵌合装置でも良い、設置場所は任意。
【００１５】  下蓋嵌合装置２０、上蓋嵌合装置２１を設けている、この下蓋嵌合装置２０は円柱を横にした型であり、上蓋嵌合装置２１は下蓋嵌合装置２０の円柱直径より若干おおき目の筒状径として先端から後端までが左右に欠けており、プラグ上蓋４をプラグ下蓋５に強く押しつけるときつめに嵌合する程度の筒状に左右に欠けている。雄ネジ、雌ネジによる嵌合装置でも良い。設置場所はプラグ端部以外の要所とする、プラグ本体補強の役目もする。
【００１６】  プラグの材質はプラスッチク、ウレタン樹脂等である。図１はプラグ内部の隙間にウレタン樹脂等をプラグ本体補強として充填しているが、この充填の有無、多寡、範囲は任意とし、他に安価で環境に優しくこれらの目的を達成する材料であれば良い。
【００１７】  図２は回転部回転指掛け１０を回転軸７を中心として指で前駆、後駆させ回転部共々、差込み銅板２を１８０度回転させ、差込み銅板２をプラグ内部に納めた図である。
【００１８】  図２のプラグ本体はウレタン樹脂等で１体成型されており、プラグ内部もウレタン樹脂等が充填されている。又、プラグ上下蓋固定ネジ１６部分を無くしたので空間部１９は図１の空間部９より格段に広いので、指１本でプラグを楽々とコンセントから外せるのである。
【００１９】  図２のプラグ本体にはリード線１８がプラグ本体と１体成型されており、図１の線固定ネジ１５は不要、下蓋嵌合装置２０、上蓋嵌合装置２１、下蓋端部嵌合装置２２、上蓋嵌合装置２３も不要。プラグ内銅板部分３、回転軸７を図２では略している。
【００２０】  図１の、プラグ内銅板３が上蓋嵌合装置２１とプラグ上蓋４とプラグ下蓋５の中間を通っている場合いは下蓋嵌合装置２０、上蓋嵌合装置２１の双方を必要量を欠いてプラグ内銅板３の通路を確保する。
【００２１】  空間部９は図１、図２の大きさにこだわらない。回転部回転指掛け１０、プラグ本体引き抜指掛１２の形状も図示以外の型で本発明プラグの目的を果たせば良い。
【図面の簡単な説明】
【００２２】
【図１】  本発明のプラグ平面図、プラグを左右対称してプラグ下蓋５の左内部図
【図２】  本発明のプラグ平面図、プラグを左右対称してプラグ下蓋５の左内部図
【図３】  本発明のプラグ断面図
【符合の説明】
【００２３】    １中心線
２差し込み銅販
３プラグ内銅販
４プラグ上蓋
５プラグ下蓋
６回転部
７回転軸
８回転軸保持装置
９空間部
１０回転部回転指掛け
１１差込み銅販納入溝
１２プラグ本体引き抜指掛
１３絶縁壁
１４プラグ上下蓋嵌合装置
１５電線固定ネジ
１６プラグ上下蓋固定ネジ
１７ウレタン等樹脂
１８リード線
１９拡大空間部
２０下蓋嵌合装置
２１上蓋嵌合装置
２２下蓋端部嵌合装置
２３上蓋端部嵌合装置